(57)【要約】【課題】複数の装置の機能的関連付けを自動で作成して動作させるシステム及び方法を提案する。【解決手段】システムは、それぞれセンサ、論理処理回路、及び自由空間で通信可能な通信回路を備える、複数の装置から成る。機能的関連付けを構成する装置は、候補の装置から選択される。選択プロセスでは、各装置が、評価基準に基づき、全ての候補の装置から受信した過去のセンサデータを分析する。評価基準は、タスク達成における機能的関連付けの有効性を予測する確率モデルに基づく。協動によるタスク達成の有効性が高いと過去のデータが示す装置は、同じ機能的関連付けとされる。その後、それらの装置は継続的にデータを交換して協動する。過去のデータと、継続的なデータの送信は、分散かつ無監督で行われる。その送信はネットワークベースの論理アドレス方式または特別な配線等を必要としない。機能的関連付けは動的で、装置の追加または削除を自動で行う。【選択図】図１
2018190721.tif 000002
【特許請求の範囲】
【請求項１】
グループ内の自動化対象を関連付けるための制御装置であって、
現在の動作データを検出するためのセンサと、
現在および過去の動作データを含むセンサデータを記録するためのメモリと、
現在および過去の動作データを含む通信信号を１つ以上の近傍にある制御装置から受信する通信信号レシーバと、
現在および過去の動作データを含む通信信号を前記１つ以上の近傍にある制御装置に送信する通信信号トランスミッタと、
前記受信された１つ以上の動作データを前記記録された動作データと比較し、近傍にある制御装置ごとに動作データの類似性を決定する制御ユニットと、
現在の動作データおよび制御ユニットに基づく自動化対象の出力と、
を備え、
前記制御ユニットは、前記自動化対象の出力の動作が、類似性が存在する前記１つ以上の近傍にある制御装置の前記現在の動作データと連携が取れている否かを決定する、制御装置。
【請求項２】
前記通信信号トランスミッタは、拡散リンクにて通信する、請求項１に記載の制御装置。
【請求項３】
前記通信信号トランスミッタおよび前記通信信号レシーバは、前記１つ以上の近傍にある制御装置の識別子を送信および受信する、請求項１に記載の制御装置。
【請求項４】
前記通信信号トランスミッタおよび前記通信信号レシーバは、起こり得る通信エラーまたはコリジョンを解決するための競合プロトコルを使用する、請求項１に記載の制御装置。
【請求項５】
前記制御ユニットは、重み付けされた過去の値に基づいて、記録された動作データと受信された動作データとの間の類似性を決定する、請求項１に記載の制御装置。
【請求項６】
前記現在の動作データは、前記自動化対象の近傍の占有を含む、請求項１に記載の制御装置。
【請求項７】
前記現在の動作データは、前記自動化対象の近傍の周囲光レベルを含む、請求項１に記載の制御装置。
【請求項８】
前記受信された現在および過去の動作データを前記記録された現在および過去の動作データと比較することは、前記制御装置によって検出された占有開始および占有終了時間を１つ以上の近傍にある制御装置によって検出された占有開始および占有終了時間と比較することを含む、請求項６に記載の制御装置。
【請求項９】
類似性が存在する前記１つ以上の近傍にある制御装置のいずれか１つが占有を検出したとき、類似性が存在する前記１つ以上の近傍にある制御装置と同期して前記自動化対象をオンにして、類似性が存在する前記１つ以上の近傍にある制御装置のいずれもが占有を検出しないとき、前記自動化対象をオフにする、請求項６に記載の制御装置。
【請求項１０】
それぞれが制御装置を有する自動化対象を関連付ける方法であって、
前記制御装置が、前記自動化対象の現在の動作データを検出するステップと、
前記制御装置が、前記現在の動作データをメモリに記録するステップと、
現在および過去の動作データを含む通信信号を１つ以上の近傍にある制御装置から受信するステップと、
現在および過去の動作データを含む通信信号を１つ以上の近傍にある制御装置に送信するステップと、
前記受信した現在および過去の動作データを前記記録された現在および過去の動作データと比較し、動作データにおける類似性を決定するステップと、
類似性がある場合、前記１つ以上の近傍にある制御装置の前記現在の動作データと連携を取って前記自動化対象を動作させるステップと、
を含む方法。
【請求項１１】
前記通信信号は、拡散リンクである、請求項１０に記載の方法。
【請求項１２】
前記通信信号は、前記自動化対象に固有の識別子をさらに含む、請求項１０に記載の方法。
【請求項１３】
前記通信信号は、起こり得る通信エラーまたはコリジョンを解決するための競合プロトコルをさらに含む、請求項１０に記載の方法。
【請求項１４】
前記動作データにおける前記類似性を決定するステップは、重み付けされた過去の値を比較するステップを含む、請求項１０に記載の方法。
【請求項１５】
前記現在の動作データは、前記自動化対象の近傍の占有を含む、請求項１０に記載の方法。
【請求項１６】
前記現在の動作データは、前記自動化対象の近傍の現在の周囲光レベルを含む、請求項１０に記載の方法。
【請求項１７】
前記受信された現在および過去の動作データを前記記録された現在および過去の動作データと比較するステップは、前記制御装置の占有開始および占有終了時間を、１つ以上の近傍にある制御装置の占有開始および占有終了時間と比較するステップを含む、請求項１５に記載の方法。
【請求項１８】
類似性が存在する前記１つ以上の近傍にある制御装置のいずれか１つが占有を検出したとき、類似性が存在する前記１つ以上の近傍にある制御装置と同期して前記自動化対象をオンにするステップと、類似性が存在する前記１つ以上の近傍にある制御装置のいずれもが占有を検出しないとき、前記自動化対象をオフにするステップと、をさらに含む、請求項１５に記載の方法。
【発明の詳細な説明】
【技術分野】
【０００１】
本発明は、照明器具の設置及び保守に関する。より具体的には、本発明は、グループの照明器具の制御に関する。
【背景技術】
【０００２】
照明管理システム（ＬＭＳ：Light management system）は、照明器具の機能的関連付け（functional association）を使用し得る。このような関連付けは、例えば、昼光の採光または占有の検出に基づいて関連付けられた照明器具を含み得る。いくつかの既存の照明管理システムは、低電圧配線または論理アドレス方式を使用して、関連付けられた照明器具のグループを制御し得る。関連付けにおいてそれぞれの照明器具を接続する低電圧配線は、共通のチャンネル上ですべてのメンバー機器を物理的に接続することによって、機能的関連付けにおける機器のメンバーシップを決定する。
【０００３】
論理アドレス方式は、デジタルＬＭＳ（有線または無線）において、機能的関連付けのメンバーシップを定義するために使用され得る。デジタルＬＭＳのセットアップには、典型的には、まず、技術者に視認可能な視覚的パターンを生成して、他の装置と識別させる装置が用いられる。次に、ソフトウェアを使用して、視覚的に識別可能な装置の固有の識別子を読み取って、識別子を１つ以上の物理装置に相関付ける。一旦識別されると、それぞれの装置は１つ以上の機能的関連付けに手動で追加される。
【０００４】
これは、装置の相関が論理ネットワークアドレスに依存して、装置が同じ機能的関連付けに配置される、規範的なプロセスである。動作中、論理アドレスは、通信プロトコルによって設定された規則に従って通信信号に符号化される。論理アドレスタイプは、ネットワークに接続されたすべてのノード、ノードのグループまたは固有のノードにそれぞれデータを送信するために使用される、ブロードキャスト、マルチキャストおよびユニキャストアドレスを含み得る。
【０００５】
通信メッセージを受信するすべての装置は、所定の論理アドレスタイプにおけるメンバーシップに基づいて、そのメッセージを処理し応答するか否かを決定し得る。
【０００６】
ビルオートメーションシステムは、ＨＶＡＣ（暖房、換気および空調）および遮光等の他の管理システムに加えて、ＬＭＳを含むことができる。そのようなシステムは、共通の制御システムを有し、ユーザインタフェースを共有し、センサおよびフィードバックメカニズムを共有し得る。
【０００７】
既存のシステムはＬＭＳに対するある程度の制御は提供し得るが、最適で効率的なセットアップおよび制御を提供しないことがある。
【発明の概要】
【０００８】
互いに通信する２つ以上の照明器具を含む照明管理システムが説明される。照明器具は、占有等に関する、１つ以上のセンサまたは入力を記録する。入力のパターンは、近傍にある照明器具と比較され、共通の入力のパターンを有する照明器具がグループ化される。グループ化された照明器具は、例えば、グループとしてオンまたはオフされることによって、グループとして動作する。
【図面の簡単な説明】
【０００９】
図面において、例示的な実施形態が示される。
【図１】図１は、照明器具制御装置の概略図である。
【図２】図２は、図１の照明器具制御装置のトランシーバの底面図である。
【図３】図３Ａは、信号を送信するための回路図である。図３Ｂは、信号を受信するための回路図である。
【図４】図４は、赤外線信号の送信および受信を示す２つの照明器具の概略図である。
【図５】図５Ａは、２つの照明器具制御装置について検出された占有を示した図である。図５Ｂは、２つの照明器具制御装置の測定された光レベルを示した図である。
【図６】図６は、占有および昼光の検出からグループ化された照明器具を確立するためのフローチャートである。
【００１０】
（発明の詳細な説明）
機能的関連付けは、特定の目的を達成するために共に動作する複数の装置の集合体である。メンバーの装置は、入力データを共有し、処理アルゴリズムを実行し、出力状態を調整し得る。
【００１１】
ＬＭＳの記載において、機能的関連付けは、照明または照明器具および関連付けられたセンサに関連する。一例として、機能的関連付けは、占有を検出するセンサと、センサの状態に応答する照明器具とから構成されてもよい。この例において、共用される入力データは、占有状態または空き状態をとり得るセンサの状態である。所望の目的は、すべての照明器具がセンサの状態の変化に一斉に応答することである。この応答は、単純なものとしては、照明器具の出力状態を、占有および空きのそれぞれに対して１００％および０％の光レベルに設定することであってもよい。応答は、遷移レベル、空きの警告、および可変のフェード時間を伴う、より複雑なものであってもよい。
【００１２】
図１は、ある実施形態において、分散型ネットワークにおける赤外線データ伝送を使用して、機能的関連付けを自動的に作成する照明器具制御装置の概略図である。照明器具制御装置は、１つ以上の照明器具を動作させ、制御し得る。照明器具は、照明器具制御装置、ＬＥＤまたは電球等の１つ以上の照明要素、および固定具または入れ物を備えてもよい。制御装置は、照明器具の他の構成要素と同じ入れ物の中にあってもよいが、照明器具の隣に設置され、或いは照明器具に接続されてもよい。
【００１３】
照明制御装置１００は、電力管理回路１１０、制御回路１２０、占有センサ１３１、昼光センサ１３２、温度センサ１３３およびジェスチャーセンサ１３４等を含むがこれらに限定されない様々なセンサ１３０、制御論理処理１４０、データストレージおよびメモリ１４１、デジタル信号処理１５０、ネットワーク通信インタフェース１６０、入力インタフェース１６１、可視光または赤外線通信回路１７０等のサブシステムのうち1つ以上を含み得る。
【００１４】
ある実施形態では、照明器具および関連付けられたセンサは、機能的関連付けのメンバーシップに照明器具を割り当てるために、配線接続を使用することなく、或いは手動でネットワークアドレスを使用することなく、機能的関連付けを形成する。
【００１５】
照明装置は、通信チャネルにおいて制御装置１００間でデータを共有することによって上述したことを実施し得る。通信チャネルは、可視光または近赤外線を使用する自由空間光通信チャネルであってもよい。ある実施形態では、データは、イーサネット（登録商標）またはその他の低電力有線ネットワーク等の有線ネットワークにおいて共有されてもよい。データは、上述した光通信に加えて、Ｂｌｕｅｔｏｏｔｈ（登録商標）、Ｗｉ−Ｆｉ（登録商標）または同様の技術を使用する無線ネットワークにおいて共有されてもよい。
【００１６】
照明器具は、中央制御装置等のＬＭＳの他の機能、手動操作の照明スイッチ、ならびにＨＶＡＣコンポーネント等の他のビルオートメーション装置および第三者の装置等と通信してもよい。これらの装置のいくつかからの信号は、照明装置制御を無効にする優先度の高い信号を構成し得る。例えば、手動操作の照明スイッチまたは調光スイッチの動作は、占有または昼光のセンサよりも優先され得る。通信媒体は、インタフェースによって、或いは相互接続装置を介して相互接続された異なるネットワークにおいて通信する異なる装置を有するハイブリッドシステムであってもよい。
【００１７】
過去のセンサデータ、照明器具の出力レベルおよび制御データ等の照明器具データは、照明器具間で共有され得る。制御データは、ＰＩＤ（比例−積分−微分）制御のための係数を含んでもよい。照明器具のためのデータは、制御装置によって生成された通信信号に符号化されてもよい。
【００１８】
通信信号を受信する制御装置は、送信する制御装置の照明器具データを分析し得る。１つ以上の制御装置が信号およびデータを受信し得る。装置が受信したデータは、過去のセンサデータおよび制御データを含む、装置自身のデータと比較され得る。
【００１９】
２つ以上の制御装置およびそれらの照明器具は、過去のデータに含まれる共通のパターンに基づいて、論理的な関連付けを形成し得る。装置は、論理的な関連付けを形成し、装置の動作は、データセットが機能固有の評価基準を満たす装置に対してのみ同期され得る。
【００２０】
類似性の基準は、リアルタイムで継続的に評価され、機能的関連付けにおける動的なメンバーシップを実現し得る。本実施形態では、装置は、それらの照明器具データが類似性の基準を満たし続けている間は同期された状態を維持し、この基準が満たされなくなると機能的関連付けから自動的に抜ける。
【００２１】
図２は、自由空間光通信回路１７０のある実施形態を示す。トランスミッタ２００は、１つ以上の赤外線ＬＥＤエミッタ２０１と１つ以上の赤外線ＬＥＤレシーバ２０２とから構成され得る。エミッタおよび／またはレシーバは、放射状の分布パターンで配置され得る。赤外線ＬＥＤレシーバは、エミッタにより放射される光の可視または近赤外の波長に調整されたフォトダイオードで構成されてもよい。トランスミッタ２００のエミッタは、他の制御装置１００に位置する１つ以上のレシーバに到達するように、あらゆる方向に光を放射させ得る。エミッタは、見通し指向性リンク（line-of-sight directed link）、指向性非見通しリンク（directed non-line of sight link）、または拡散リンク（diffuse link）にて通信し得る。
【００２２】
図３Ａを参照すると、発光回路は、赤外線ＬＥＤを含むエミッタ３０１と、通信信号を生成可能なマイクロコントローラとから構成され得る。抵抗器およびトランジスタが、エミッタ３０１に適切な電力を印加するために、使用され得る。
【００２３】
図３Ｂを参照すると、受信回路は、感光性ダイオード等のレシーバ３０２と、通信信号を受信可能なマイクロコントローラとを備え得る。エミッタ３０１およびレシーバ３０２は、タイミング回路、フィルタおよび処理回路を含む、赤外線通信信号を制御、生成および受信するように動作する任意の回路をさらに含んでもよい。
【００２４】
図４を参照すると、制御装置１００の２つの実体が互いに近接して示されている。それぞれの制御装置は、照明器具の上に置かれ、内部に設置され、或いは照明器具に接続されていてもよい。ある実施形態では、２つの制御装置は、赤外線拡散リンクを使用して通信し得る。このリンクは、地面以外または床で反射して第２の装置に到達する赤外線信号を含んでもよい。両方の装置は、双方向通信を可能にするためのエミッタおよびレシーバを備えていてもよい。２つの装置が示されているが、複数の装置が一斉に通信してもよく、複数の装置が１つの装置から信号を受信してもよい。
【００２５】
図５Ａを参照すると、占有の時間と値の対に関する２つの装置における測定値の一例を表すグラフが示されている。占有イベントの間の時間間隔は、機能的関連付けにおけるメンバーシップを決定するために両方の装置による分析に使用されてもよい。
【００２６】
過去のデータは、一連の、所定の装置によって占有が検出されたときの過去の時間値を表してもよい。例えば、これは、占有が検出された時および非占有が検出された時の時間、または占有が検出されたときの開始および終了の時間のリストを含んでもよい。過去のデータは、過去数日、数週間、数ヶ月またはそれ以上の時間値を含み得る。データは、それぞれの装置において、装置１００の制御回路１２０に関連付けられたメモリ１４１に格納されてもよい。
【００２７】
センサデータは、制御装置のストレージ１４１に記憶され得る。これらのストレージは、揮発性または不揮発性メモリを含み得る。制御回路１２０は、占有等の検出値、またはセンサの状態の変化のそれぞれを周期的に記録し、その状態を時間とともにメモリに記憶してもよい。
【００２８】
近傍にある制御装置から照明器具データを受信する他の装置は、そのデータを装置自身の照明器具データと比較し得る。この照明器具データは、装置自身の局所的な占有検出時間値を含んでもよい。図５Ａを参照すると、第１の装置の占有検出が第２の装置の占有と重ね合わせて示され、第２の装置が、第１の装置よりも、図示された時間間隔だけ少し遅れて、占有を検出したことが示されている。
【００２９】
制御装置は、それらの照明器具データを近傍にある装置と共有し得る。これは、近傍にある装置の信号強度を判定すること、および適度に強い信号で通信していて近接している可能性が高い装置を決定するための切り捨て電力レベルを実装することによって、実施されてもよい。可視光または赤外線のような自由空間通信システムの使用は、物理的に通信の距離を制限するために用いられ得る。あるいは、近傍にある装置は、フロアプランに基づいて手動または自動で決定され、すべての装置に伝達されてもよい。
【００３０】
制御装置は、送信媒体における競合を解決するためにプロトコルを使用してもよい。例えば、装置は、競合が検出されたときに送信を一時停止し、所定期間の後、他の装置がその時点で送信していない場合に再開してもよい。
【００３１】
装置は、一連の占有検出イベントのそれぞれの時間値が特定の時間範囲内に発生する場合、同じ機能的関連付けに加わってもよい。範囲は、動作条件に最適な設定を使用するために、可変で動的であってもよく、さまざまな機械学習アルゴリズムを使用してオンサイトで自動的に調整されてもよい。最も新しい登録等、特定の時間における登録を他の登録よりも強調できるように、異なる重み付け値が過去の一連の登録のそれぞれに割り当てられてもよい。機能的関連付けのメンバーシップを決定するこのパラダイムは、制御装置の分散型ネットワークにおいて共有される過去のデータの類似性に基づいている。
【００３２】
２つまたは３つの近傍の装置からデータを受信し、或いはそれらの装置とデータを共有する装置は、例えば、他の装置からのすべての過去のデータをその装置自身のデータと比較して、近傍にある装置のうちどの装置が類似する一連のデータを持っているかを決定し得る。装置は、近接する装置の一部または全部と機能的関連付けを形成してもよく、或いはどの装置とも形成しなくてもよい。
【００３３】
図５Ｂを参照すると、グラフは、２つの照明器具における昼光の測定値のセットに関する時間と値の対の一例を表している。それぞれの時間間隔における光レベルの差は、機能的関連付けにおけるメンバーシップを決定するために、両方の照明器具による分析に使用される。図５Ｂのグラフは、例えば１日における、それぞれの装置の光センサによって検出されたルーメンまたは光強度を示す。グラフは、第１の装置が、図示された期間の第１の部分においてより高い光量を検出し、第２の装置が、期間の第２の部分においてより多くの光を検出したことを示す。それぞれの時間と値の対は、現在および過去の記録において特定のデータセットに対してより高い優先度を付与するために、異なる重み付け係数を有してもよい。例えば、最近の時間における登録または営業時間中の時間における登録に、より高い優先度が与えられてもよい。
【００３４】
装置は、過去のデータの近さと、それによる機能的関連付けのメンバーシップを決定するために、ファジー論理、機械学習アルゴリズム、または固定された規則のセットを使用してもよい。
【００３５】
類似する昼光検出値を有する装置は、機能的関連付けを形成し、照明器具の光レベルを調整し得る。例えば、機能的関連付けにおける全ての制御装置は装置の１つからの光センサ入力を使用してもよく、制御装置はＰＩＤアルゴリズムにおいて同一の係数を共有してもよく、或いは全ての制御装置は互いに同じ出力レベルを設定してもよい。
【００３６】
図６は、１つ以上の他の装置との機能的関連付けを受信し、処理し、形成するために使用され得るプロセスの概要を示すフローチャートである。プロセス６００は、制御装置１００によって実行されてもよい。
【００３７】
プロセス６００は、ブロック６１０から開始してもよい。ブロック６１０において、制御装置１００によって受信された通信信号が、読み取られ、分析される。このような通信信号は、赤外線トランシーバによって受信されてもよい。ブロック６１１において、受信信号が物理的な基準を満たすか否かの判断が、例えば、信号が弱すぎる、またはノイズが多すぎる等の、可変の閾値に基づいて行われる。制御装置は、信号に付与され、或いは含まれる識別子または他のパラメータに基づいて、その信号が近傍にある装置から送られたものか否かを決定してもよい。
【００３８】
ブロック６２０において、物理的な基準を満たす信号は、近傍にある装置からの照明器具データとして復号化され、占有検出に関連するデータ、占有の時間と値の対のデータ等の信号内に符号化されたデータが読み取られ、分析され得る。これには、近傍にある装置からの現在および過去のデータが含まれていてもよい。
【００３９】
ブロック６２１において、時間と値の対が、占有イベントの過去の記録の類似性の基準の可変セットを満たすか否かに関して、占有検出器のための決定がなされる。
【００４０】
ブロック６３０において、占有に関する過去の類似性の基準を満たす制御装置は、協調して動作するように、それらの動作を同期させる。これは、機能的関連付けに含まれるいずれか１つの装置が占有を検出すると、機能的関連付けに含まれる全ての装置が占有状態に設定され、機能的関連付けに含まれる全ての装置が空きを検出するまでは、機能的関連付けに含まれるいずれの装置も空き状態に設定されないことを意味してもよい。このようにして、例えば、機能的グループの照明器具は、占有検出器のいずれかが占有を検出すると一斉に全てがオンになり、機能的関連付けの中の検出器のいずれもが占有を検出しなくなると一斉に全てがオフになる。上述したように、挙動は、例えば、保持時間および遷移フェードによって、より複雑になる可能性がある。
【００４１】
ブロック６４０において、物理的な基準を満たす信号はデコードされ、信号内に符号化された昼光センサデータの時間と値の対が読み取られ、制御装置が昼光センサを利用するために分析される。
【００４２】
ブロック６４１において、時間と値の対が、昼光イベントの過去の記録の類似性の基準の可変セットを満たすか否かの決定が制御装置のために行われ得る。上述したように、これは、比較アルゴリズムにおける、センサデータ、制御データおよびその他のデータのマッチングを含んでもよい。
【００４３】
ブロック６５０において、昼光の低減のための過去の類似性の基準を満たす装置は、協調して動作するように、それらの動作を同期させる。これは、ＰＩＤ制御ループへの入力として使用される測定された昼光の測定値が、機能的関連付けのすべてのメンバー間で平均化されることを意味してもよい。或いは、１つの装置の昼光の測定値のみが、ＰＩＤ制御ループにおいて全ての装置によって測定された値として使用されることを意味してもよい。
【００４４】
複数のセンサを含む装置は、２つ以上の機能的関連付けに属してもよい。例えば、２つの装置は、占有検出に応じてそれらの動作を同期させるが、昼光に応じては同期させなくてもよい。機能的関連付けは、互いに重なり合っていてもよく、或いは互いに入れ子構造にされていてもよい。
【００４５】
さらに、機能的関連付けのメンバーシップは動的であってもよい。装置は、それらの過去の時間値を定期的に共有し、機能的関連付けのメンバーシップを再評価してもよい。新しい装置が導入されると、その装置はその装置自身を機能的関連付けに追加してもよい。同様に、装置が再配置され、或いは装置の近傍の空間のレイアウトが変更されると、装置の機能的関連付けも変わり得る。これらの再評価は、１日１回、または１週間に１回等、定期的に実施されてもよく、或いは毎秒または毎分等のほぼリアルタイムに実施されてもよい。
【００４６】
制御装置は、すべての照明器具データを定期的にブロードキャストしてもよく、或いは現在のデータをより多い頻度で、過去のデータをより少ない頻度でブロードキャストしてもよい。照明器具が機能的関連付けを決定されると、グループに参加した照明装置の識別子等、関連付けの結果は、中央制御装置に通信され、ピアツーピアネットワークにより、または異なるネットワーク越しに、制御装置から制御装置のいずれかに通信されてもよい。
【００４７】
さらに、近傍にある装置が故障した場合、または応答しなかった場合、または更新されたセンサ情報を送信した場合には、装置は、状態の決定において、そのセンサ情報を無視してもよく、或いはもはやセンサ情報を考慮に入れなくてもよい。例えば、装置は、昼光センサがもはや応答しない場合、または有用な情報を生成しない場合には、ＰＩＤ制御ループにおいて昼光センサを無視してもよい。
【００４８】
低電圧ＬＭＳと比較して、上述の手法は、機能的関連付けを定義するための専用配線を必要としないという利点を有する。ネットワークアドレスによって構成された有線または無線のデジタルＬＭＳに対して、本手法は、機能的関連付けを定義するために、ネットワークアドレスまたはユーザによるいかなるプログラミングにも必ずしも依存しないという利点を有する。
【００４９】
タクスは、可動のパーティション壁の位置に応じて機能的関連付けをプログラミングするなど、デジタル、アドレスベース、ＬＭＳにおける実装が本質的に複雑であってもよく、機能的な関連付けの動的な性質および装置間の過去のデータの周期的な共有によって本質的に行われてもよい。
【００５０】
照明器具の制御装置またはシステムは、ＬＭＳコントローラまたはオペレータと共有しうる識別子を生成してもよい。コントローラまたはオペレータは、識別子を使用して、機能的関連付けの再構成または機能的関連付けの態様の上書きをしてもよい。例えば、コントローラまたはオペレータは、装置を異なる機能的関連付けに再割り当てしてもよく、機能的関連付けを結合または分割してもよい。ある例では、コントローラまたはオペレータは、装置が機能的関連付けを形成するのに十分に類似しているか否かを決定するために使用されるアルゴリズムを再構成してもよい。コントローラまたはオペレータは、照明器具のローカルにあってもよく、または地方自治体、地域または国家的な制御センター等、遠隔にあってもよい。
【００５１】
場所、規制またはユースケースによっては、異なる機能的関連付けおよび応答パラメータが要求され得る。例えば、ホールド時間は、掃除用具入れと浴室では異なり得る。
【００５２】
制御装置は、（エミッタおよびレシーバからなる）赤外線通信回路、（昼光および占有などの）環境センサのセット、および信号分析および制御の論理処理能力の一部または全部を含み得る。制御装置は、照明器具、可変バルブコントローラ、またはその他の種類のビルオートメーション機器または装置等、アクチュエータの状態を制御するメカニズムをも有してもよい。装置は、その制御対象とするユニットの一部であってもよく、追加で設置されてもよく、装置の近傍に設置されてもよい。
【００５３】
複数の制御装置は、ＬＭＳによって制御される装置のそれぞれに接続され、或いは関連付けられる等によって、建物空間全体に設置されていてもよい。装置は、（自由空間光：free space optical）ＦＳＯ通信チャネルにおいてメッセージを送信するために見通し（line of sight）を必ずしも必要としない。通信メッセージは、自然な日光などのデータ破損の原因を克服するのに十分な信号対雑音比を有する。
【００５４】
本発明の様々な実施形態を例として詳細に説明したが、本発明から逸脱することなく変更および修正を行い得ることは当業者には明らかであろう。本発明は、添付の特許請求の範囲に含まれるこれら変更および修正のすべてを含む。
【図１】
2018190721.tif 000003
【図２】
2018190721.tif 000004
【図３】
2018190721.tif 000005
【図４】
2018190721.tif 000006
【図５】
2018190721.tif 000007
【図６】
2018190721.tif 000008
【外国語明細書】
2018190721000001.pdf